【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
対象となる画像の画像データを取得する画像データ取得部と、
前記画像を構成する画素の画素値を調整する画素値処理を行う画素値処理部及び前記画像に含まれる領域を変形する変形処理を行う変形処理部とを有し、前記画素値処理部による前記画素値処理と前記変形処理部による前記変形処理とにより前記画像に対する画質調整処理を行う画質調整部を備えた画像処理装置であって、
さらに、前記画素値処理又は前記変形処理のいずれか一方の処理を行う指示に基づいて前記画像に対する前記画質調整処理の処理内容を決定する処理内容決定部を備え、
前記処理内容決定部は、前記処理内容を前記指示がされた前記一方の処理を行うとともに、前記一方の処理に応じて前記指示がされなかった他方の処理もあわせて行う内容とすることを特徴とする画像処理装置。
【請求項２】
請求項１に記載の画像処理装置であって、
前記処理内容決定部は、前記処理内容を前記一方の処理が前記画像にもたらす変化の一部を前記他方の処理が打ち消すように作用する内容とすることを特徴とする画像処理装置。
【請求項３】
請求項２に記載の画像処理装置であって、
前記一方の処理が前記画像にもたらす前記変化は、前記画像に含まれる顔画像の印象の変化を含むことを特徴とする画像処理装置。
【請求項４】
請求項１乃至３に記載の画像処理装置であって、
前記指示は、前記画素値処理を行う指示であり、
前記処理内容決定部は、前記処理内容を前記画素値処理を行うとともに、前記画素値処理に応じて前記変形処理もあわせて行う内容とすることを特徴とする画像処理装置。
【請求項５】
請求項４に記載の画像処理装置であって、
前記画素値処理は、前記画像に含まれる顔画像の明るさを明るくする処理であり、
前記変形処理は、前記顔画像の横幅を細くする処理であることを特徴とする画像処理装置。
【請求項６】
請求項４に記載の画像処理装置であって、
前記画素値処理は、前記画像に含まれる顔画像の明るさを暗くする処理であり、
前記変形処理は、前記顔画像の横幅を太くする処理であることを特徴とする画像処理装置。
【請求項７】
請求項４に記載の画像処理装置であって、
前記画素値処理は、前記画像に含まれる顔画像のコントラストを軟調にする処理であり、
前記変形処理は、前記顔画像の横幅を細くする処理であることを特徴とする画像処理装置。
【請求項８】
請求項４に記載の画像処理装置であって、
前記画素値処理は、前記画像に含まれる顔画像のコントラストを硬調にする処理であり、
前記変形処理は、前記顔画像の横幅を太くする処理であることを特徴とする画像処理装置。
【請求項９】
請求項１乃至３に記載の画像処理装置であって、
前記調整指示は、前記変形処理を行う指示であり、
前記処理内容決定部は、前記処理内容を前記変形処理を行うとともに、前記変形処理に応じて前記画素値処理もあわせて行う内容とすることを特徴とする画像処理装置。
【請求項１０】
請求項９に記載の画像処理装置であって、
前記変形処理は、前記画像に含まれる顔画像の横幅を細くする処理であり、
前記画素値処理は、前記顔画像の明るさを明るくする処理であることを特徴とする画像処理装置。
【請求項１１】
請求項９に記載の画像処理装置であって、
前記変形処理は、前記画像に含まれる顔画像の横幅を太くする処理であり、
前記画素値処理は、前記顔画像の明るさを暗くする処理であることを特徴とする画像処理装置。
【請求項１２】
請求項９に記載の画像処理装置であって、
前記変形処理は、前記画像に含まれる顔画像の横幅を細くする処理であり、
前記画素値処理は、前記顔画像のコントラストを軟調にする処理であることを特徴とする画像処理装置。
【請求項１３】
請求項９に記載の画像処理装置であって、
前記変形処理は、前記画像に含まれる顔画像の横幅を太くする処理であり、
前記画素値処理は、前記顔画像のコントラストを硬調にする処理であることを特徴とする画像処理装置。
【請求項１４】
対象となる画像の画像データを取得し、
前記画像を構成する画素の画素値を調整する画素値処理及び前記画像に含まれる領域を変形する変形処理を行う変形処理とにより前記画像に対する画質調整処理を行う画像処理方法であって、
さらに、前記画素値処理又は前記変形処理のいずれか一方の処理を行う指示に基づいて前記画像に対する前記画質調整処理の処理内容を決定し、
前記処理内容は、前記指示がされた前記一方の処理を行うとともに、前記一方の処理に応じて前記指示がされなかった他方の処理もあわせて行う内容であることを特徴とする画像処理方法。
【請求項１５】
対象となる画像の画像データを取得する機能と、
前記画像を構成する画素の画素値を調整する画素値処理及び前記画像に含まれる領域を変形する変形処理とにより前記画像に対する画質調整処理を行う機能をコンピュータに実現させるコンピュータプログラムであって、
さらに、前記画素値処理又は前記変形処理のいずれか一方の処理を行う指示に基づいて前記画像に対する前記画質調整処理の処理内容を決定する機能をコンピュータに実現させ、
前記処理内容は、前記指示がされた前記一方の処理を行うとともに、前記一方の処理に応じて前記指示がされなかった他方の処理もあわせて行う内容であることを特徴とするコンピュータプログラム。
【手続補正２】
【補正対象書類名】明細書
【補正対象項目名】００２３
【補正方法】変更
【補正の内容】
【００２３】
さらに、本発明は、上記適用例３に係るコンピュータプログラムを記録した記録媒体、そのコンピュータプログラムを含み搬送波内に具現化されたデータ信号、等の態様で実現することができる。
さらに、本発明の画像処理装置は、対象となる画像の画像データを取得する画像データ取得部と、前記画像を構成する画素の画素値を調整する画素値処理を行う画素値処理部及び前記画像に含まれる領域を変形する変形処理を行う変形処理部とを有し、前記画素値処理部による前記画素値処理と前記変形処理部による前記変形処理とにより前記画像に対する画質調整処理を行う画質調整部を備えた画像処理装置であって、さらに、前記画素値処理又は前記変形処理のいずれか一方の処理を行う指示に基づいて前記画像に対する前記画質調整処理の処理内容を決定する処理内容決定部を備え、前記処理内容決定部は、前記処理内容を前記指示がされた前記一方の処理を行うとともに、前記一方の処理に応じて前記指示がされなかった他方の処理もあわせて行う内容とすることを特徴とする画像処理装置であってもよい。
さらに、前記処理内容決定部は、前記処理内容を前記一方の処理が前記画像にもたらす変化の一部を前記他方の処理が打ち消すように作用する内容としてもよい。
さらに、前記一方の処理が前記画像にもたらす前記変化は、前記画像に含まれる顔画像の印象の変化を含むんでもよい。
さらに、前記指示は、前記画素値処理を行う指示であり、前記処理内容決定部は、前記処理内容を前記画素値処理を行うとともに、前記画素値処理に応じて前記変形処理もあわせて行う内容としてもよい。
さらに、前記画素値処理は、前記画像に含まれる顔画像の明るさを明るくする処理であり、前記変形処理は、前記顔画像の横幅を細くする処理でもよい。
さらに、前記画素値処理は、前記画像に含まれる顔画像の明るさを暗くする処理であり、前記変形処理は、前記顔画像の横幅を太くする処理でもよい。
さらに、前記画素値処理は、前記画像に含まれる顔画像のコントラストを軟調にする処理であり、前記変形処理は、前記顔画像の横幅を細くする処理でもよい。
さらに、前記画素値処理は、前記画像に含まれる顔画像のコントラストを硬調にする処理であり、前記変形処理は、前記顔画像の横幅を太くする処理でもよい。
さらに、前記調整指示は、前記変形処理を行う指示であり、前記処理内容決定部は、前記処理内容を前記変形処理を行うとともに、前記変形処理に応じて前記画素値処理もあわせて行う内容としてもよい。
さらに、前記変形処理は、前記画像に含まれる顔画像の横幅を細くする処理であり、前記画素値処理は、前記顔画像の明るさを明るくする処理でもよい。
さらに、前記変形処理は、前記画像に含まれる顔画像の横幅を太くする処理であり、前記画素値処理は、前記顔画像の明るさを暗くする処理でもよい。
さらに、前記変形処理は、前記画像に含まれる顔画像の横幅を細くする処理であり、前記画素値処理は、前記顔画像のコントラストを軟調にする処理でもよい。
さらに、前記変形処理は、前記画像に含まれる顔画像の横幅を太くする処理であり、前記画素値処理は、前記顔画像のコントラストを硬調にする処理でもよい。
さらに、本発明の画像処理方法は、対象となる画像の画像データを取得し、前記画像を構成する画素の画素値を調整する画素値処理及び前記画像に含まれる領域を変形する変形処理を行う変形処理とにより前記画像に対する画質調整処理を行う画像処理方法であって、さらに、前記画素値処理又は前記変形処理のいずれか一方の処理を行う指示に基づいて前記画像に対する前記画質調整処理の処理内容を決定し、前記処理内容は、前記指示がされた前記一方の処理を行うとともに、前記一方の処理に応じて前記指示がされなかった他方の処理もあわせて行う内容であることを特徴とする画像処理方法であってもよい。
さらに、本発明のコンピュータプログラムは、対象となる画像の画像データを取得する機能と、前記画像を構成する画素の画素値を調整する画素値処理及び前記画像に含まれる領域を変形する変形処理とにより前記画像に対する画質調整処理を行う機能をコンピュータに実現させるコンピュータプログラムであって、さらに、前記画素値処理又は前記変形処理のいずれか一方の処理を行う指示に基づいて前記画像に対する前記画質調整処理の処理内容を決定する機能をコンピュータに実現させ、前記処理内容は、前記指示がされた前記一方の処理を行うとともに、前記一方の処理に応じて前記指示がされなかった他方の処理もあわせて行う内容であることを特徴とするコンピュータプログラムであってもよい。
【手続補正３】
【補正対象書類名】明細書
【補正対象項目名】０１２１
【補正方法】変更
【補正の内容】
【０１２１】
一方、第１のチェックボックスＣＢ１にチェックがある場合、すなわち、印象維持が指示されている場合には（ステップＳ１０３０：ＹＥＳ）、顔画像が見る者に与える印象を維持するように顔画像を変形する顔変形処理が実行される（ステップＳ１０４０）。
【手続補正４】
【補正対象書類名】明細書
【補正対象項目名】０１３４
【補正方法】変更
【補正の内容】
【０１３４】
本変形例における絵作り処理が開始されると、図３４に示す画質調整ＵＩが表示される（ステップＳ２０１０）。図３４に示すように、図３４に示す画質調整ＵＩは、対象画像と共に、対象画像の顔画像に「きれい」な印象を付与する画質調整処理（印象付与処理）の調整レベルの指示をユーザから受け付けるためのインタフェースである第３のレベルバーＬＢ３を含んでいる。図３４に示す画質調整ＵＩは、さらに、１．コントラストを維持する、２．顔巾を維持する、３．特に限定を設けない、のうちのいずれか１つの指示を排他的にユーザから受け付けるためのインタフェースであるラジオボタンＲＢ１〜ＲＢ３を含んでいる。